(57)【要約】【目的】ノート型のコンピュータを持ち運ぶ場合、外付けの電源アダプターを加えるとマウスは持ち歩かないことになる場合が多いが、それではノート型のコンピュータの操作性が低下してしまう、と言う問題を解決する。【構成】電圧降下トランスとＡＣ−ＤＣコンバータとを備えると共にポインティングデバイスを備えている、ポインティングデバイス兼用電源アダプターとした。すなわち電源アダプターとポインティングデバイスとを一体化したため、これひとつあれば従来は別体であった電源アダプターとポインティングデバイスとを一緒に持ち運ぶような面倒がなくなる。【選択図】      図１
2006184932.tif 000002
【特許請求の範囲】
【請求項１】
電圧降下トランスとＡＣ−ＤＣコンバータとを備えると共にポインティングデバイスを備えていることを特徴とするポインティングデバイス兼用電源アダプター。
【請求項２】
前記ポインティングデバイスがマウスである請求項１に記載のポインティングデバイス兼用電源アダプター。
【請求項３】
前記マウスが光学マウスである請求項２に記載のポインティングデバイス兼用電源アダプター。
【請求項４】
前記ポインティングデバイスが、位置座標指示部を、ポインティングデバイス自体の走行によるものではなく指で操作するタイプのものとした、請求項１に記載のポインティングデバイス兼用電源アダプター。
【請求項５】
前記ポインティングデバイスが信号を無線で発信する請求項１に記載のポインティングデバイス兼用電源アダプター。
【発明の詳細な説明】
【０００１】
【発明の属する技術分野】
この発明はポインティングデバイスとしても使用することが出来る、コンピュータ用の電源アダプターに関するものである。
【０００２】
【従来の技術】
近年ノート型のコンピュータが多く用いられるように成って来た。これは持ち運びに便利であるため、仕事を会社や家庭から外へ持ち出して行なうことが可能に成っている。
【０００３】
一方、このようなノート型のコンピュータは内蔵バッテリーを持っているが、これがあまり長時間は持続しないことから、外で長く使うような場合には外付けの電源アダプターを持ち歩かなくてはならない。またＯＳにウィンドウシステムを採用しているものでは、位置座標を指し示すためのポインティングデバイスが必要であるが、ノート型のコンピュータには内蔵型のポインティングデバイスが備え付けられているにも関わらず、マウスが使い易いとしてこれを必須アイテムとする多くの支持を得ている。
【０００４】
【発明が解決しようとする課題】
しかしながら持ち歩きのためには、嵩張ったり重くなったりするようなものは不向きである。従ってノート型のコンピュータの他に外付けの電源アダプターを加えると、マウスは持ち歩かないことになる場合が多いが、それではノート型のコンピュータの操作性が低下してしまうと言う問題がある。そこでこの発明は、上述したような問題点の解決を課題とする。
【０００５】
【課題を解決するための手段及び作用】
上記課題は、電圧降下トランスとＡＣ−ＤＣコンバータとを備えると共にポインティングデバイスを備えていることを特徴とするポインティングデバイス兼用電源アダプターとすることにより達成される。
【０００６】
ノート型のコンピュータを外で長く使うような場合には、外付けの電源アダプターが必須であるが、この電源アダプターがポインティングデバイスを備えているため、別途ポインティングデバイスを持ち運ばなくて済むように成り、その分荷物が嵩張らず重くも成らない。ポインティングデバイス例えばマウスは大きい方が使い易いものであるが、これが電源アダプターに内蔵されているため、極めて便利である。
【０００７】
更に請求項２の発明は、前記ポインティングデバイスがマウスであるものとした。組み込み可能なポインティングデバイスには、トラックボールやデジタイザやトラックパッドやマウスなどがあるが、これ等の中ではマウスが一般的であるため、ここではマウスを内蔵させている。マウスは机上を転動するボールの移動量をＸ方向及びＹ方向の２種類のセンサで捕らえるものである。
【０００８】
更に請求項３の発明は、請求項２に於いて前記マウスが光学マウスであるものとしている。光学マウスは光源から発射され机上で反射した光をカメラで捕らえてＸ−Ｙ方向の移動量を割り出すものであり、光源とカメラとの比較的シンプルな構成に成るものである。従って机上を転動するボールの移動量をＸ−Ｙ方向の２種類のセンサで捕らえる機械式マウスとは異なり、可動部分がなく壊れにくいと言う特長を有する。なお超音波によりＸ−Ｙ方向の移動量を割り出すタイプのものも利用可能である。
【０００９】
また請求項４の発明は、請求項１に於いて、前記ポインティングデバイスが、位置座標指示部を、ポインティングデバイス自体の走行によるものではなく指で操作するタイプのものとした。これは上述したトラックボールやトラックパッドのことである。このタイプのポインティングデバイスの操作に慣れたユーザーにとっては便利なものである。
【００１０】
また請求項５の発明は、請求項１に於いて、前記ポインティングデバイスが信号を無線で発信するものとした。ポインティングデバイスを内蔵した電源アダプターは、コンピュータに接続するポインティングデバイス関連の信号線として、ＵＳＢやＰＳ２を備えるが、これを無線にすれば電源ケーブルだけのシンプルな構成とすることが出来る。なお前記無線には赤外線通信等も含まれる。
【００１１】
【発明の実施の形態】
以下、この発明の実施形態を図面を参照しながら説明するが、この発明はこれ等の実施形態に限定されるものではない。
【００１２】
（第１実施形態）
図１乃至図３によってこの発明の第１の実施形態を示す。図１はこの実施形態の構成を表わす模式図であるが、このマウス兼用電源アダプター１は筐体１０の内部に電源アダプター部２とマウス部３とを備えている。
【００１３】
電源アダプター部２は、図２で表わされているように、プリント基板２０上に家庭用電源の１００ボルトから電圧を落とすためのトランス２２と、この出力端に接続された交流を直流に変換するための整流器２３と、この出力端に接続された電圧調整用回路素子２４とから成り、また前記トランス２２の入力端には電源コード２１が、前記電圧調整用回路素子２４の出力端には出力コード２５が接続されている。
【００１４】
マウス部３は、図３で表わされているように、前記筐体１０の底部に開口した部分から一部を外部に出して机上を転動可能に設けられたボール３１に対して、一側から回動可能に接触する伝達ローラ３３Ｘと、この伝達ローラ３３Ｘとは直角の位置からボール３１に回動可能に接触する伝達ローラ３３Ｙとが設けられている。前記伝達ローラ３３Ｘには同軸でエンコード円板３４Ｘが取り付けられており、このエンコード円板３４Ｘの外周部にはスリット３５が刻設されており、このエンコード円板３４Ｘのスリット３５を挟むようにして、後述する発光素子３６Ｘと受光素子３７Ｘとが設けられている。また同様に前記伝達ローラ３３Ｙにもエンコード円板３４Ｙが取り付けられており、この外周部にもスリット３５が刻設されており、このエンコード円板３４Ｙのスリット３５を挟むようにして発光素子３６Ｙと受光素子３７Ｙ（図示せず）が設けられている。これ等の発光素子３６Ｘ、受光素子３７Ｘ、発光素子３６Ｙ、受光素子３７Ｙはプリント基板３０の下面部に取り付けられているが、プリント基板３０の上面部分には制御用ＩＣ３８や出力端子３９が設けられている。なお図１中の符号３２は筐体１０のマウスボタンの下に設けられたスイッチである。
【００１５】
さてマウスが机上で操作されると、それはＸ方向の動きとＹ方向の動きとしてエンコード円板３４Ｘとエンコード円板３４Ｙとに伝達される。前記の発光素子３６から発せられた光はカップリングされた受光素子３７にスリット３５を通過して入光するが、これによりボール３１のＸ−Ｙ方向の動きが検知される。受光素子３７で検知された信号は制御用ＩＣ３８に入力されるが、制御用ＩＣ３８はＸ方向の絶対アドレスカウンタ及びＹ方向の絶対アドレスカウンタとして動作して出力端子３９に出力する。これがコンピュータのＣＰＵに伝達され処理されてディスプレイ上の位置として表示されるが、この辺りは一般的な技術である。
【００１６】
このようにこの実施形態では、電源アダプター部２とマウス部３とがひとつの筐体１０の中に設けられているため、電源アダプターとマウスとをひとつのものとして持ち運ぶことが出来、荷物が嵩張らず重く成らないと言う利点がある。
【００１７】
（第２実施形態）
この実施形態は電源アダプター部とトラックボール部とから成り、図４はこの内のトラックボール部４を表わしたものである。ボール４１は鎖線で示した筐体の天部に開口した部分から一部を外部に出して、指や掌で操作可能に設けられている。図中で符号４０はプリント基板を、４２はスイッチを、４３は伝達ローラを、４４はエンコード円板を、４５はスリットを、４６は発光素子を、４７は受光素子を、４８は制御用ＩＣを、また４９は出力端子を示し、各々の役割と連係動作は上述したマウス部３のそれに倣うものである。
【００１８】
トラックボールなどと言うものはなかなか持ち歩きがしにくいものであるが、電源アダプターと一体化されることにより、そのような問題が解消される。
【００１９】
（第３実施形態）
この実施形態は電源アダプター部と光学マウス部とから成り、図５はこの内の光学マウス部５を表わしたものである。図中で符号５０はプリント基板を、５１は発光素子を、５２はスイッチを、５３は撮像素子を、５４は制御用ＩＣを、また５５は出力端子を示すが、この実施形態で特徴的な点は、プリント基板５０の下面部に設けた発光素子５１から発せられた光を鎖線で示した筐体の底部の開口部から机上に当てて、その反射光をプリント基板５０の下面部に設けた撮像素子５３で捉えて、Ｘ−Ｙ方向の動きを検知すると言う点にある。制御用ＩＣ５４はＸ方向の絶対アドレスカウンタ、及びＹ方向の絶対アドレスカウンタとして動作する。
【００２０】
（第４実施形態）
この実施形態のマウス兼用電源アダプター６は、図６で表わされているように電源アダプター部とマウス部とから成るが、この実施形態の特徴は出力部に赤外線発光素子７３を用いコンピュータ側にＸ−Ｙ方向の動きを伝達する点にある。従って筐体６０から出ているコードは、電源アダプター部２のプリント基板２０に配線された電源コードと出力コードとだけである。
【００２１】
マウス部７は、前記筐体６０の底部に開口した部分から一部を外部に出して、机上を転動可能に設けられたボール７１と、この回転方向及び回転量を検知するための各種機能が実装されたプリント基板７０とを有し、この出力は筐体６０の前部に設けられた赤外線発光素子７３からコンピュータに向けて無線で送られることに成る。なお符号７２はマウスボタンの下に設けられたスイッチである。
【００２２】
【発明の効果】
以上この発明は、電圧降下トランスとＡＣ−ＤＣコンバータとを備えると共にポインティングデバイスを備えていることを特徴とするポインティングデバイス兼用電源アダプターとしたので、これひとつあれば、従来は別体であったところの電源アダプターとポインティングデバイスとを一緒に持ち運ぶような面倒がなくなり、その分荷物が嵩張らず重くもならず、いつでもポインティングデバイスが使えるように成り、極めて便利なものと成っている。
【図面の簡単な説明】
【図１】第１の実施形態の模式図である。
【図２】同実施形態の電源アダプター部の説明図である。
【図３】同実施形態のマウス部の説明図である。
【図４】第２の実施形態の模式図である。
【図５】第３の実施形態の模式図である。
【図６】第４の実施形態の模式図である。
【符号の説明】
１    マウス兼用電源アダプター
１０  筐体
２    電源アダプター部
２０  プリント基板
２１  電源コード
２２  トランス
２３  整流器
２４  電圧調整用回路素子
２５  出力コード
３    マウス部
３０  プリント基板
３１  ボール
３２  スイッチ
３３  伝達ローラ
３４  エンコード円板
３５  スリット
３６  発光素子
３７  受光素子
３８  制御用ＩＣ
３９  出力端子
４    トラックボール部
４０  プリント基板
４１  ボール
４２  スイッチ
４３  伝達ローラ
４４  エンコード円板
４５  スリット
４６  発光素子
４７  受光素子
４８  制御用ＩＣ
４９  出力端子
５    光学マウス部
５０  プリント基板
５１  発光素子
５２  スイッチ
５３  撮像素子
５４  制御用ＩＣ
５５  出力端子
６    マウス兼用電源アダプター
６０  筐体
７    マウス部
７０  プリント基板
７１  ボール
７２  スイッチ
７３  赤外線発光素子
【図１】
2006184932.tif 000003
【図２】
2006184932.tif 000004
【図３】
2006184932.tif 000005
【図４】
2006184932.tif 000006
【図５】
2006184932.tif 000007
【図６】
2006184932.tif 000008